(57)【要約】【課題】携帯電話機利用者が通信規格、通信機能、周波数、アプリケーションに応じてアンテナモジュールを付け替えることにより、携帯電話機の躯体の肥大化およびコストの高騰を回避する。さらに、アンテナモジュール付け替え時に携帯電話機の各種機能切替えを手動で行うことを回避する。【解決手段】アンテナを、通信規格、通信機能、周波数、アプリケーション別にそれぞれモジュール化し、携帯電話機本体から着脱自在とすることにより携帯電話機利用者が必要に応じてアンテナモジュールを付け替える。また、各アンテナモジュールへ識別コードを付与することで、本アンテナモジュールを付け替えたのと同時に自動的に携帯電話機の各種機能を切り替え、携帯電話機本体とアンテナモジュールとの間の回路マッチングを自動的に切り替える。【選択図】図１
2008092273.tif 000002
【特許請求の範囲】
【請求項１】
複数種類の通信規格または通信機能または周波数またはアプリケーションに対応する携帯電話機において、
前記複数種類の通信規格または通信機能または周波数またはアプリケーションにそれぞれ対応する複数種類のアンテナをそれぞれ含む複数のアンテナモジュールと、
このアンテナモジュールのいずれかと携帯電話機本体とを結合する手段と
を備えたことを特徴とする携帯電話機。
【請求項２】
前記アンテナモジュールには、それぞれアンテナモジュールの種類を識別するための識別コードが付与され、
前記結合する手段は、
前記アンテナモジュールと前記携帯電話機本体との電気的な整合を個々のアンテナモジュール毎に調整する複数の整合手段と、
結合される前記アンテナモジュールに付与された前記識別コードに基づき複数の前記整合手段の中から当該結合されるアンテナモジュールに適する前記整合手段を選択する手段と
を備えた請求項１記載の携帯電話機。
【請求項３】
前記結合する手段は、結合される前記アンテナモジュールに付与された前記識別コードに基づき当該アンテナモジュールに対応する通信規格または通信機能または周波数またはアプリケーションを識別して前記携帯電話機本体における当該アンテナモジュールに対応する必要機能のみを動作させ不要機能の動作を停止する手段を備えた
請求項２記載の携帯電話機。
【請求項４】
前記結合する手段は、前記識別コードが不検出であるときには前記携帯電話機本体に前記アンテナモジュールのいずれもが結合されていないと判断して携帯電話機本体の電源を遮断する手段を備えた請求項２または３記載の携帯電話機。
【請求項５】
複数種類の通信規格または通信機能または周波数またはアプリケーションに対応する携帯電話機の制御方法において、
前記携帯電話機は、前記複数種類の通信規格または通信機能または周波数またはアプリケーションにそれぞれ対応する複数種類のアンテナをそれぞれ含む複数のアンテナモジュールと、このアンテナモジュールのいずれかと携帯電話機本体とを結合する手段とを備えており、
前記アンテナモジュールには、それぞれアンテナモジュールの種類を識別するための識別コードが付与され、
前記結合する手段が、結合される前記アンテナモジュールに付与された前記識別コードに基づき前記アンテナモジュールと前記携帯電話機本体との電気的な整合を個々のアンテナモジュール毎に調整する複数の整合手段の中から当該結合されるアンテナモジュールに適する前記整合手段を選択する
ことを特徴とする携帯電話機の制御方法。
【請求項６】
前記結合する手段が、結合される前記アンテナモジュールに付与された前記識別コードに基づき当該アンテナモジュールに対応する通信規格または通信機能または周波数またはアプリケーションを識別して前記携帯電話機本体における当該アンテナモジュールに対応する必要機能のみを動作させ不要機能の動作を停止する請求項５記載の携帯電話機の制御方法。
【請求項７】
前記結合する手段が、前記識別コードが不検出であるときには前記携帯電話機本体に前記アンテナモジュールのいずれもが結合されていないと判断して携帯電話機本体の電源を遮断する請求項６記載の携帯電話機の制御方法。
【請求項８】
汎用の情報処理機能を有する携帯電話機の当該汎用の情報処理機能にインストールすることにより、その汎用の情報処理機能に、請求項１ないし４のいずれかに記載の携帯電話機の前記手段に相応する機能を実現させるプログラム。
【発明の詳細な説明】
【技術分野】
【０００１】
本発明は、携帯電話サービスに利用する。特に、様々な通信規格、通信機能、周波数、アプリケーションに対応できる携帯電話機に利用する。
【背景技術】
【０００２】
従来の携帯電話機は、本体が有する通信規格（ＧＳＭ、Ｗ−ＣＤＭＡ、ＷｉｒｅｌｅｓｓＬＡＮ、ＧＳＭ／Ｗ−ＣＤＭＡ  Ｄｕａｌ  Ｍｏｄｅ、Ｂｌｕｅｔｏｏｔｈ（登録商標）等）あるいは通信機能（ＴＸ／ＲＸ  Ｄｉｖｅｒｓｉｔｙ等）あるいは利用する周波数あるいはアプリケーション（地上ディジタルＴＶ等）に関する全てに対応可能なアンテナを内蔵しており、携帯電話機利用者の様々な要求に応えられるように構成されている。
【０００３】
【特許文献１】特開２００５−２３６５３９号公報
【発明の開示】
【発明が解決しようとする課題】
【０００４】
前述したように、従来の携帯電話機は、本体が有する通信規格あるいは通信機能あるいは利用する周波数あるいはアプリケーションに関する全てに対応可能なアンテナを内蔵している。これは携帯電話機利用者の様々な要求に応えることができるように配慮された結果である。
【０００５】
しかしながら、携帯電話機利用者が、ある通信規格、通信機能、周波数、アプリケーションを使用しない状況あるいは使用できない環境下にいても常にその全てに対応可能なアンテナを携帯電話機本体に持ち合わせている必要があったため、携帯電話機の躯体が肥大化してしまうという問題点がある。また、躯体の肥大化に伴い携帯電話機のコストも高くなる。
【０００６】
また、特許文献１では、複数種類のアンテナを携帯送受信機に付け替えられる技術が開示されているが、これは単に、アンテナの利得または形態を任意に選択できるというものであり、通信規格、通信機能、周波数、アプリケーションに基づきアンテナを選択して付け替えるというものではない。
【０００７】
本発明は、このような背景の下に行われたものであって、携帯電話機利用者が通信規格、通信機能、周波数、アプリケーションに応じてアンテナモジュールを付け替えることにより、携帯電話機の躯体の肥大化およびコストの高騰を回避することができる携帯電話機およびその制御方法を提供することを目的とする。
【課題を解決するための手段】
【０００８】
本発明ではアンテナを、各種の通信規格別あるいは通信機能別あるいは利用する周波数別あるいはアプリケーション別にそれぞれモジュール化し、携帯電話機本体から着脱自在とすることにより携帯電話機利用者が必要に応じてアンテナモジュールを付け替える仕組みを持つ携帯電話機を提供する。
【０００９】
また、各アンテナモジュールへ識別コードを付与することで、本アンテナモジュールを付け替えたのと併せて自動的に携帯電話機の各種機能を切り替える仕組みと、携帯電話機本体とアンテナモジュールとの間の回路マッチングを自動的に切り替える仕組みとを持つ携帯電話機を提供する。
【００１０】
例えば、アンテナモジュールＡをＷ−ＣＤＭＡ  Ｓｉｎｇｌｅの通信方式に対応するアンテナとＲＸ  Ｄｉｖｅｒｓｉｔｙに必要なアンテナを具備したモジュールとし、アンテナモジュールＢをＧＳＭ  Ｓｉｎｇｌｅの通信方式に対応したアンテナと地上波ディジタルＴＶに対応したアンテナを具備したモジュールとし、各種機能を組み合わせてアンテナをモジュール化する。
【００１１】
このアンテナモジュールＡが携帯電話機に装着された場合に、携帯電話機はＷ−ＣＤＭＡ  Ｓｉｎｇｌｅの通信方式とＲＸ  Ｄｉｖｅｒｓｉｔｙに関する機能のみをＯＮとし、その他の例えばＧＳＭ関連や地上波ディジタルＴＶ関連の機能をＯＦＦとする。
【００１２】
また、アンテナモジュールＢが装着された場合はＧＳＭ  Ｓｉｎｇｌｅと地上波ディジタルＴＶに関する機能のみをＯＮとし、それ以外の例えばＷ−ＣＤＭＡ関連の機能はＯＦＦとする。
【００１３】
すなわち、本発明は、複数種類の通信規格または通信機能または周波数またはアプリケーションに対応する携帯電話機であって、本発明の特徴とするところは、前記複数種類の通信規格または通信機能または周波数またはアプリケーションにそれぞれ対応する複数種類のアンテナをそれぞれ含む複数のアンテナモジュールと、このアンテナモジュールのいずれかと携帯電話機本体とを結合する手段とを備えたところにある。
【００１４】
これにより、携帯電話機利用者が必要に応じてアンテナモジュールを付替えることにより、携帯電話機の躯体が肥大化することを回避できる。また、躯体の肥大化を回避することにより携帯電話機のコストの高騰も回避することができる。さらに、携帯電話機利用者が自分に必要なアンテナモジュールのみを選択して購入するというビジネスモデルも実現できるため、ビジネスモデルの観点からも携帯電話機のコストを低減させることが期待できる。
【００１５】
また、前記アンテナモジュールには、それぞれアンテナモジュールの種類を識別するための識別コードが付与され、前記結合する手段は、前記アンテナモジュールと前記携帯電話機本体との電気的な整合を個々のアンテナモジュール毎に調整する複数の整合手段と、結合される前記アンテナモジュールに付与された前記識別コードに基づき複数の前記整合手段の中から当該結合されるアンテナモジュールに適する前記整合手段を選択する手段とを備えることができる。
【００１６】
これにより、アンテナモジュールの付替えと併せて携帯電話機本体とアンテナモジュールとの間の回路マッチングを自動的に切替えることができる。
【００１７】
さらに、前記結合する手段は、結合される前記アンテナモジュールに付与された前記識別コードに基づき当該アンテナモジュールに対応する通信規格または通信機能または周波数またはアプリケーションを識別して前記携帯電話機本体における当該アンテナモジュールに対応する必要機能のみを動作させ不要機能の動作を停止する手段を備えることができる。
【００１８】
これにより、アンテナモジュールの付替えに伴い、携帯電話機利用者が手動で機能設定する必要がなくなり、携帯電話利用者の利便性を向上させることができる。
【００１９】
また、さらに、前記結合する手段は、前記識別コードが不検出であるときには前記携帯電話機本体に前記アンテナモジュールのいずれもが結合されていないと判断して携帯電話機本体の電源を遮断する手段を備えることができる。
【００２０】
また、本発明を携帯電話機の制御方法の観点から観ることもできる。すなわち、本発明は、複数種類の通信規格または通信機能または周波数またはアプリケーションに対応する携帯電話機の制御方法であって、本発明の特徴とするところは、前記携帯電話機は、前記複数種類の通信規格または通信機能または周波数またはアプリケーションにそれぞれ対応する複数種類のアンテナをそれぞれ含む複数のアンテナモジュールと、このアンテナモジュールのいずれかと携帯電話機本体とを結合する手段とを備えており、前記アンテナモジュールには、それぞれアンテナモジュールの種類を識別するための識別コードが付与され、前記結合する手段が、結合される前記アンテナモジュールに付与された前記識別コードに基づき前記アンテナモジュールと前記携帯電話機本体との電気的な整合を個々のアンテナモジュール毎に調整する複数の整合手段の中から当該結合されるアンテナモジュールに適する前記整合手段を選択するところにある。
【００２１】
また、前記結合する手段が、結合される前記アンテナモジュールに付与された前記識別コードに基づき当該アンテナモジュールに対応する通信規格または通信機能または周波数またはアプリケーションを識別して前記携帯電話機本体における当該アンテナモジュールに対応する必要機能のみを動作をさせ不要機能の動作を停止することができる。
【００２２】
さらに、前記結合する手段が、前記識別コードが不検出であるときには前記携帯電話機本体に前記アンテナモジュールのいずれもが結合されていないと判断して携帯電話機本体の電源を遮断することができる。
【００２３】
また、本発明をプログラムの観点から観ることもできる。すなわち、本発明は、汎用の情報処理機能を有する携帯電話機の当該汎用の情報処理機能にインストールすることにより、その汎用の情報処理機能に、本発明の携帯電話機の前記手段に相応する機能を実現させるプログラムである。
【００２４】
本発明のプログラムは記録媒体に記録されることにより、前記汎用の情報処理機能は、この記録媒体を用いて本発明のプログラムをインストールすることができる。あるいは、本発明のプログラムを保持するサーバからネットワークを介して直接前記汎用の情報処理機能に本発明のプログラムをインストールすることもできる。
【００２５】
これにより、汎用の情報処理機能を有する携帯電話機を用いて、本発明の携帯電話機を実現することができる。
【発明の効果】
【００２６】
本発明によれば、携帯電話機利用者が通信規格、通信機能、周波数、アプリケーションに応じてアンテナモジュールを付け替えることにより、携帯電話機の躯体の肥大化およびコストの高騰を回避することができる。また、この際に、アンテナモジュールと携帯電話機本体との整合および携帯電話機本体における機能設定を携帯電話機利用者が行う必要が無く、携帯電話機利用者の利便性を向上させることができる。
【発明を実施するための最良の形態】
【００２７】
本発明の実施例の構成について図面を参照して詳細に説明する。図１は本実施例の携帯電話機の全体構成図である。図２は本実施例の携帯電話機におけるアンテナモジュールと携帯電話機本体との結合手段を説明するための図である。
【００２８】
図１および図２を参照すると、本実施例の携帯電話機は、識別コード４０を具備したアンテナモジュール３０と、アンテナモジュール受入部１１０を具備した携帯電話機本体１００とから構成されている。
【００２９】
アンテナモジュール３０は機能別にモジュール化され、携帯電話機本体１００のアンテナモジュール受入部１１０に対して着脱自在となっている。また、携帯電話機本体１００はアンテナ切替制御部２０を具備した通信・アプリＬＳＩ１０とアンテナスイッチ（以下、アンテナＳＷと記す）５０とマッチング回路６０とから構成され、アンテナＳＷ５０によりアンテナモジュール３０と通信・アプリＬＳＩ１０との間のパス（マッチング回路♯１、♯２、…、♯ｎ）を切り替えるように接続されている。
【００３０】
これらの装置はそれぞれ次のように動作する。
【００３１】
携帯電話機本体１００にはアンテナモジュール受入部１１０が具備されている。アンテナモジュール受入部１１０は、アンテナモジュール受入部１１０へ機能別にモジュール化されたアンテナモジュール３０を取り付けることにより携帯電話機本体１００が有する全ての機能の内、アンテナモジュール３０に対応した機能のみがＯＮとなるように切替える機能と、携帯電話機１００とアンテナモジュール３０との間の回路マッチングを自動的に切替える機能とを有する。
【００３２】
アンテナモジュール３０は機能別（ＧＳＭ  Ｓｉｎｇｌｅ、Ｗ−ＣＤＭＡ  Ｓｉｎｇｌｅ、ＧＳＭ／Ｗ−ＣＤＭＡ  Ｄｕａｌ  Ｍｏｄｅ、ＴＸ／ＲＸ  Ｄｉｖｅｒｓｉｔｙ、地上波ディジタルＴＶ等の通信方式や通信機能、使用する周波数）にモジュール化され、携帯電話機利用者の必要に応じて携帯電話機本体１００からアンテナモジュール３０が着脱自在となる構造となっている。また、アンテナモジュール３０がどの機能を具備しているかを識別するための識別コード４０が具備されている。
【００３３】
識別コード４０は、アンテナモジュール３０を識別するためのモジュールナンバ（アンテナモジュール♯１など）、アンテナモジュール３０が具備するアンテナの種類（例えば、Ｗ−ＣＤＭＡ方式用のアンテナと地上波ディジタルＴＶ用のアンテナを具備しているなど）、対応するマッチング回路６０の情報（マッチング回路♯１など）を表している。
【００３４】
通信・アプリＬＳＩ１０に具備されたアンテナ切替制御部２０は、アンテナモジュール３０から識別コード４０を取得し、装着されたアンテナモジュール３０の情報を識別する機能を有し、この装着されたアンテナモジュール３０に対応するマッチング回路６０を選択し、アンテナＳＷ５０へのパスの切替え制御を行う機能を有する。
【００３５】
アンテナＳＷ５０は、アンテナ切替制御部２０からの命令により、パスを切り替える機能を有する。
【００３６】
マッチング回路６０は、複数のアンテナモジュール３０に対応するため、予め携帯電話機本体１００にアンテナモジュール分が具備されている。
【００３７】
次に、図２および図３のタイムスケジュールを参照して本実施例の携帯電話機の動作について詳細に説明する。
【００３８】
初期条件として、携帯電話機本体１００はＷ−ＣＤＭＡ／ＧＳＭ  Ｄｕａｌ  Ｍｏｄｅの通信方式に対応し、ＲＸ  Ｄｉｖｅｒｓｉｔｙの機能とＢｌｕｅｔｏｏｔｈの機能と地上波ディジタルＴＶの受信とが可能な携帯電話機とし、アンテナモジュール♯ｎ３０はＷ−ＣＤＭＡ用のアンテナと地上波ディジタルＴＶ用のアンテナとを具備しているとする。
【００３９】
まず、アンテナモジュール♯ｎ３０が携帯電話機本体１００のアンテナモジュール受入部１１０へ装着される（ステップ１）。
【００４０】
次に、アンテナ切替制御部２０は、アンテナモジュール♯ｎ３０に付与された識別コード♯ｎ４０から識別コード情報を取得し、装着されたアンテナモジュールがアンテナモジュール♯ｎ３０であることを把握し、併せて、アンテナモジュール♯ｎ３０が♯ｎのアンテナ（ここではＷ−ＣＤＭＡ用のアンテナと地上波ディジタルＴＶ用のアンテナ）を具備していることを把握する（ステップ２）。
【００４１】
続いて、アンテナ切替制御部２０は識別コード情報から装着されたアンテナモジュール♯ｎ３０に対応したマッチング回路♯ｎ６０を選択し、アンテナＳＷ５０へパスの切替えを依頼する（ステップ３）。
【００４２】
アンテナＳＷ５０はマッチング回路♯ｎ６０を使用すべくパスを♯ｎに切替える（ステップ４）。
【００４３】
さらに、携帯電話機本体１００はステップ２から、装着されたアンテナモジュール♯ｎ３０が具備するアンテナの機能（Ｗ−ＣＤＭＡと地上波ディジタルＴＶ）を把握しており、アンテナモジュール♯ｎ３０に対応する必要機能をＯＮ（動作許可）とし、その他の不要機能（ＧＳＭ方式の各種機能とＲＸ  Ｄｉｖｅｒｓｉｔｙ関連の機能、Ｂｌｕｅｔｏｏｔｈ関連の機能）をＯＦＦ（動作停止）にする（ステップ５）。
【００４４】
また、携帯電話機本体１００はステップ２にて識別コード情報を取得できなかった場合には、アンテナモジュール３０が装着されていないものと認識し、携帯電話機本体１００の電源をＯＦＦとする（ステップ６）。
【００４５】
（プログラムとしての実施例）
本実施例の別の観点として、汎用の情報処理機能を有する携帯電話機の当該汎用の情報処理機能にインストールすることにより、その汎用の情報処理機能に、本実施例の携帯電話機本体１００のアンテナ切替制御部２０に相応する機能を実現させるプログラムとしての実施例を例示することもできる。
【００４６】
本実施例のプログラムは記録媒体に記録されることにより、前記汎用の情報処理機能は、この記録媒体を用いて本実施例のプログラムをインストールすることができる。あるいは、本実施例のプログラムを保持するサーバからネットワークを介して直接前記汎用の情報処理機能に本実施例のプログラムをインストールすることもできる。
【００４７】
また、本実施例のプログラムは、汎用の情報処理機能によって直接実行可能なものだけでなく、メモリなどにインストールすることによって実行可能となるものも含む。また、圧縮されたり、暗号化されたりしたものも含む。
【００４８】
これにより、ハードウェアとしてのアンテナモジュール受入部１１０を追加することにより、汎用の情報処理機能を有する携帯電話機を用いて、本実施例の携帯電話本体１００の機能を実現することができる。
【産業上の利用可能性】
【００４９】
本発明によれば、携帯電話機の躯体が肥大化することを回避することができるため、多機能な携帯電話機を小型かつ安価に実現することができ、また、アンテナモジュールと携帯電話機本体との整合および携帯電話機本体における機能設定を携帯電話機利用者が行う必要が無く、携帯電話機利用者の利便性を向上させることができる。
【００５０】
さらに、携帯電話機利用者が自分に必要なアンテナモジュールのみを選択して購入するというビジネスモデルも実現できるため、ビジネスモデルの観点からも携帯電話機のコストを低減させることが期待できる。
【図面の簡単な説明】
【００５１】
【図１】本実施例の携帯電話機の全体構成図。
【図２】本実施例の携帯電話機本体とアンテナモジュールとの結合手段を説明するための図。
【図３】本実施例の携帯電話機の動作を示すタイムスケジュールを示す図。
【符号の説明】
【００５２】
１０  通信・アプリＬＳＩ
２０  アンテナ切替制御部
３０  アンテナモジュール
４０  識別コード
５０  アンテナＳＷ
６０  マッチング回路
１００  携帯電話機本体
１１０  アンテナモジュール受入部
【図１】
2008092273.tif 000003
【図２】
2008092273.tif 000004
【図３】
2008092273.tif 000005